(57)【特許請求の範囲】
【請求項１】
原稿を読み取り、電気信号に変換するための撮像手段と、
前記撮像手段による原稿の読み取り開始を指示するための操作手段と、
前記撮像手段により読み取った前記電気信号を信号処理し、画像データを出力する信号処理手段と、
前記画像データを一時的に格納するための一時記憶手段と、
前記一時記憶手段に格納された画像データを付帯情報とともに外部に送信する通信手段と、
内部電源と、
前記撮像手段により原稿を読み取る際に所望の読み取り条件を設定する読み取り条件設定手段と、
前記内部電源の残量を検出する残量検出手段と、
前記操作手段により原稿の読み取り開始が指示された場合に、前記残量検出手段により検出された前記内部電源の残量が前記読み取り条件設定手段により設定された読み取り条件での読み取り処理を実行するのに充分であるか否かを判定し、設定された読み取り条件での読み取り処理を実行するのに不充分であると判定した場合に読み取り条件を変更するように制御する制御手段と
を有することを特徴とする携帯型画像読取装置。
【請求項２】
前記通信手段による画像情報の送信先を入力する通信先入力手段を更に有することを特徴とする請求項１に記載の携帯型画像読取装置。
【請求項３】
前記通信先入力手段により入力された送信先のリストを記憶する通信先記憶手段と、
前記通信先記憶手段に記憶された送信先のリストから、１つを選択する通信先選択手段とを更に有することを特徴とする請求項２に記載の携帯型画像読取装置。
【請求項４】
前記通信先記憶手段と、前記画像情報の送信先とを関連づけるための送信制御手段を更に有することを特徴とする請求項３に記載の携帯型画像読取装置。
【請求項５】
前記操作手段による操作が所定時間以上無い場合に、前記内部電源から電力供給を停止する電源制御手段を更に有することを特徴とする請求項１に記載の携帯型画像読取装置。
【請求項６】
前記操作手段により前回指示された動作の内容に応じて、前記所定時間が変化することを特徴とする請求項５に記載の携帯型画像読取装置。
【請求項７】
前記内部電源の消耗状態に関する表示をする表示手段を更に有することを特徴とする請求項１に記載の携帯型画像読取装置。
【請求項８】
前記内部電源は、電池または充電可能なバッテリーであることを特徴とする請求項１に記載の携帯型画像読取装置。
【請求項９】
前記操作手段により原稿の読み取りが指示された場合に、前記一時記憶手段に原稿の画像データを格納できる容量が残されているか否かを判断する容量判断手段を更に有することを特徴とする請求項１に記載の携帯型画像読取装置。
【請求項１０】
前記容量判断手段が前記一時記憶手段の容量が不足していると判断した場合に、前記一時記憶手段に記憶された画像データ中に未送信の画像データがあるか否かを判断し、ある場合には該画像データの送信を、原稿の読み取りに先立って行うように制御する制御手段を更に有することを特徴とする請求項９に記載の携帯型画像読取装置。
【請求項１１】
前記一時記憶手段に記憶された画像データ中に未送信の画像データがない場合には、前記制御手段は、前記一時記憶手段の空き容量を用いて、原稿の部分読み出し及び送信を交互に行うように制御することを特徴とする請求項９に記載の携帯型画像読取装置。
【請求項１２】
前記操作手段により原稿の読み取り開始を指示すると、画像情報の送信開始を自動的にスケジュールする送信計画管理手段を更に有することを特徴とする請求項１に記載の携帯型画像読取装置。
【請求項１３】
前記操作手段により原稿の読み取り開始を指示すると、画像情報送信先と通信を開始し、通信回線の状態と前記一時記憶手段の状態に応じて通信を制御する通信制御手段を更に有することを特徴とする請求項１に記載の携帯型画像読取装置。
【請求項１４】
前記画像データを複数に分割したファイル情報として送信するための送信制御手段を更に有することを特徴とする請求項１に記載の携帯型画像読取装置。
【請求項１５】
前記画像データにメッセージを添付して送信するための送信制御手段を更に有することを特徴とする請求項１に記載の携帯型画像読取装置。
【請求項１６】
前記画像データに送信元のエリアコードまたは送信開始時刻または原稿読み取り開始時刻を添付して送信するための送信制御手段を更に有することを特徴とする請求項１に記載の携帯型画像読取装置。
【請求項１７】
前記画像データを指定フォーマットのファイルとして扱い、電子メールに添付して送信するための送信制御手段を更に有することを特徴とする請求項１に記載の携帯型画像読取装置。
【請求項１８】
前記無線通信手段が携帯電話として使用可能な通信手段であることを特徴とする請求項１に記載の携帯型画像読取装置。
【請求項１９】
前記無線通信手段により前記画像情報の送信を行うための、収納可能なアンテナを更に有することを特徴とする請求項１８に記載の携帯型画像読取装置。
【請求項２０】
原稿の読み取り時は、撮像手段に対して電力を供給し、携帯電話として使用するときは電話機能に関係のない回路への電力供給を停止するように制御する電源制御手段を更に有することを特徴とする請求項１８に記載の携帯型画像読取装置。
【発明の詳細な説明】
【０００１】
【発明の属する技術分野】
本発明はイメージスキャナなどの画像読取装置に関するもので、特にコードレスで使用可能な携帯用のイメージスキャナーに関するものである。
【０００２】
【従来の技術】
従来のイメージスキャナーやフィルムスキャナーでは、ＣＣＤラインセンサーや密着型センサー等の光電変換装置を使って一定方向（主走査方向）に走査を行い、ステッピングモーターを使って、原稿と光電変換装置を主走査方向に対して垂直方向（副走査方向）に相対的に動かすことにより、画像を読み取るものが提供されている。例えば、原稿台上に置いた原稿を読み取るタイプのフラットベット式のものや、シート原稿をローラーで移動しながら読み取るシートフェッド式のものなどがある。
【０００３】
フィルムスキャナーとしては、原稿であるフィルムをホルダーに挟んで、原稿台に装着し、ラインセンサー等の読み取り光学系により主走査方向に走査を行い、この読み取り光学系とフィルムを副走査方向に相対的に動かすことで画像全体を読み取る方式のものや、主走査方向に走査を行うラインセンサに対して、副走査方向にフィルムを直接給送しながら走査を行って画像を読み取るものなどがある。
【０００４】
一方、携帯通信装置としては、従来、特開平０７−１６２５５５のような装置が提案されており、送信すべき文書および受信した文書の画像を表示できるようにしたものがある。この文献においては、携帯無線電話機による通話終了後に、コントローラが携帯通信装置の本体に装着されたフロッピーディスクまたは内蔵された記録媒体に記憶されている文書データを機能キーの指示によって検索して表示器に表示し、テンキーによって入力された相手先へアンテナを介して無線によりファクシミリにより送信したり、通話終了後に相手先から文書データをファクシミリにより受信して、フロッピーディスクまたは記録媒体に記録する事ができる装置が開示されている。
【０００５】
また、特開平０５−３０８４６１は、携帯に便利で、しかも据え置き型にして使用する場合にも充分な機能を有するファクシミリ装置を開示している。このファクシミリ装置においては、携帯時には必要最小限の送信、受信、コピーなどの機能で構成され、据え置き型にして使用する際には置き台部を本体部と結合して、置き台部に設けられたＴＥＬ／ＦＡＸ自動切換え機能や発呼用データ記憶機能やプリント用データ記憶機能等を利用できるようにし、多機能化できる構成を開示している。
【０００６】
更に、特開平０８−１８２９１０は、バッテリーの終了をあらかじめ正確に予測することができ、特に目的の処理が最後まで実行できるか否かを判定可能な情報処理装置を開示しており、この情報処理装置は印刷要求があった場合、バッテリーの残量を検知し、あらかじめ実測した所定単位の印刷処理に必要なバッテリー消費量と、文字数、改行数、改頁数などの印刷処理の制御情報から求められる処理全体に必要なバッテリー消費量とを比較することにより、印刷処理をバッテリー切れなく実行できるか否かを判定することを開示している。
【０００７】
【発明が解決しようとする課題】
従来は、イメージスキャナの多くはＳＣＳＩやＩＥＥＥ１２８４等のインターフェースでホストコンピュータと接続し、ホストコンピュータ上のアプリケーションソフトによって制御して使用しなければならなかった。また、外部電源を必要とするために携帯性に欠けるという問題があった。
【０００８】
本発明は上記問題点を鑑みてなされたものであり、インターフェースケーブルや電源ケーブルなどの接続コードを無くす（コードレス化）と共に、簡単な操作で画像を読み取り、画像データに送信先情報およびファイル識別情報を添付した画像情報を送信することにより、目的のコンピュータまたはファイル装置に画像情報を送付することができる携帯型画像読取装置を提供することを目的とする。
【０００９】
また、内部電源による電力供給先を管理して電力を有効利用し、また、バッテリー残量を検知して、バッテリー残量の表示またはバッテリー切れの警告を行うことができる携帯型画像読取装置を提供することを目的とする。
【００１０】
【課題を解決するための手段】
本発明の携帯型画像読取装置は、原稿を読み取り、電気信号に変換するための撮像手段と、前記撮像手段による原稿の読み取り開始を指示するための操作手段と、前記撮像手段により読み取った前記電気信号を信号処理し、画像データを出力する信号処理手段と、前記画像データを一時的に格納するための一時記憶手段と、前記一時記憶手段に格納された画像データを付帯情報とともに外部に送信する通信手段と、内部電源と、前記撮像手段により原稿を読み取る際に所望の読み取り条件を設定する読み取り条件設定手段と、前記内部電源の残量を検出する残量検出手段と、前記操作手段により原稿の読み取り開始が指示された場合に、前記残量検出手段により検出された前記内部電源の残量が前記読み取り条件設定手段により設定された読み取り条件での読み取り処理を実行するのに充分であるか否かを判定し、設定された読み取り条件での読み取り処理を実行するのに不充分であると判定した場合に読み取り条件を変更するように制御する制御手段とを有する。上記構成により、インターフェースケーブルや電源ケーブルなどの接続コードを無くすことができると共に、簡単な操作で原稿の読み取り開始を指示することができる。更に、内部電源の残量に応じた読み取り処理を行うことが可能になる。
【００１１】
本発明の好適な一態様によれば、前記無線通信手段による画像情報の送信先を入力する通信先入力手段を更に有する。また、前記通信先入力手段により入力された送信先のリストを記憶する通信先記憶手段と、前記通信先記憶手段に記憶された送信先のリストから、１つを選択する通信先選択手段とを更に有する。上記構成により、簡単な操作で目的のコンピュータまたはファイル装置に画像情報を送付することができる。
【００１４】
好ましくは、前記操作手段による操作が所定時間以上無い場合に、前記内部電源から電力供給を停止する電源制御手段を更に有する。上記構成により、電力を有効利用することができる。更に好ましくは、前記操作手段により前回指示された動作の内容に応じて、前記所定時間が変化させる。
【００１５】
また、本発明の好適な一様態によれば、前記内部電源の消耗状態に関する表示をする表示手段を更に有する。上記構成により、内部電源装置のバッテリー残量を検知して、バッテリー残量の表示を行うことができる。
【００１６】
好ましくは、前記内部電源は、電池または充電可能なバッテリーである。
【００１７】
また、本発明の好適な一態様によれば、前記操作手段により原稿の読み取りが指示された場合に、前記一時記憶手段に原稿の画像データを格納できる容量が残されているか否かを判断する容量判断手段を更に有し、前記容量判断手段が前記一時記憶手段の容量が不足していると判断した場合に、前記一時記憶手段に記憶された画像データ中に未送信の画像データがあるか否かを判断し、ある場合には該画像データの送信を、原稿の読み取りに先だって行うように制御する制御手段を有する。好ましくは、前記一時記憶手段に記憶された画像データ中に未送信の画像データが無い場合には、前記制御手段は、前記一時記憶手段の空き容量を用いて、原稿の部分読み出しおよび送信を交互に行うように制御する。上記構成によれば、一時記憶手段の容量が足りない場合にも、簡単な操作で画像を読み取り、目的のコンピュータまたはファイル装置に画像情報を送付することができる。
【００１８】
また、本発明の好適な一様態によれば、前記通信手段により前記画像情報の送信を行うための、収納可能なアンテナを更に有する。上記構成により、インターフェースケーブルや電源ケーブルなどの接続コードを無くすことができる。
【００１９】
また、本発明の好適な一態様によれば、前記操作手段により原稿の読み取り開始を指示すると、画像情報の送信開始を自動的にスケジュールする送信計画管理手段を更に有する。上記構成により、簡単な操作で目的のコンピュータまたはファイル装置に画像情報を送付することができる。
【００２０】
また、本発明の好適な一態様によれば、前記操作手段により原稿の読み取り開始を指示すると、画像情報送信先と通信を開始し、通信回線の状態と前記一時記憶手段の状態に応じて通信を制御する通信制御手段を更に有する。簡単な操作で目的のコンピュータまたはファイル装置に画像情報を送付することができる。
【００２１】
また、本発明の好適な一態様によれば、前記画像データを複数に分割したファイル情報として送信するための送信制御手段を更に有する。上記構成によれば、画像データに送信先情報およびファイル識別情報を添付した画像情報を送信することができる。
【００２２】
また、本発明の好適な一態様によれば、前記画像データにメッセージを添付して送信するための送信制御手段を更に有する。上記構成によれば、画像データに送信先情報およびファイル識別情報を添付した画像情報を送信することができる。
【００２３】
また、本発明の好適な一態様によれば、前記画像データに送信元のエリアコードまたは送信開始時刻または原稿読み取り開始時刻を添付して送信するための送信制御手段を更に有する。上記構成によれば、画像データに送信元情報およびファイル識別情報を添付した画像情報を送信することができる。
【００２４】
また、本発明の好適な一様態によれば、前記画像データを指定フォーマットのファイルとして扱い、電子メールに添付して送信するための送信制御手段を更に有する。上記構成によれば、画像データに送信先情報およびファイル識別情報を添付した画像情報を送信することができる。
【００２５】
好ましくは、前記通信手段が携帯電話として使用可能な通信手段である。
【００２６】
また、本発明の好適な一態様によれば、前記通信先記憶手段と、前記画像情報の送信先とを関連づけるための送信先制御手段を更に有する。上記構成により、簡単な操作で目的のコンピュータまたはファイル装置に画像情報を送付することができる。
【００２７】
また、本発明の好適な一態様によれば、原稿の読み取り時は、撮像手段に対して電力を供給し、携帯電話として使用する時は電話機能に関係のない回路への電力供給を停止するように制御する電源制御手段を更に有する。上記構成により、電力を有効利用することができる。
【００２８】
【発明の実施の形態】
以下、添付図面を参照して本発明の好適な実施の形態を詳細に説明する。
（第１の実施形態）
図１は本発明の第１の実施形態における携帯型イメージスキャナの構成をあらわすブロック図である。同図において、１は本、雑誌、書類、写真などの原稿、２は、原稿１を戴置するための原稿台ガラス、３は、原稿台ガラス２を介して原稿１を照明するための光源３１と、照明光を原稿面に導くライトガイド３２と、照明された原稿１の光学像をラインセンサー３３に導くセルホックレンズ３４と、結像された光学像を主走査方向に読み取るための、ＭＯＳまたはＣＣＤにより構成されたラインセンサ３３とを含む光学ユニットである。本実施形態では撮像光学系として、密着型イメージセンサ（ＣＩＳ）を例に挙げたが、代わりに一体型光学系を採用しても良いのは言うまでもない。
【００２９】
４は、光学ユニット３を副走査方向に移動するための駆動源となるモーター、５は、モーター４軸の回転運動を副走査方向の直線運動に変換するためのプーリー、６は、光学ユニット３を副走査方向に移動させるためのモーター制御回路、７は、光学ユニット３で読み取った画像信号１４を受け取ってから、アナログ信号処理、Ａ／Ｄ変換、デジタル画像処理を行い、通信制御回路１２を介してコンピュータなどの外部機器１７に、画像データおよびそれに付随するインデックス情報（後述）から構成される画像情報を出力するための画像処理／シーケンス制御回路、８は、電池、バッテリーなどの携帯用内部電源、９は、携帯用内部電源８のバッテリー残量を監視するための内部電源監視回路、１０は、内部電源監視回路９の出力に基づいて、操作部１５からの司令及び、イメージスキャナ本体の動作シーケンスに従って、光学ユニット３、モーター制御回路６、画像処理／シーケンス制御回路７、ハードディスク１１、操作部１５、表示部１６の各回路に供給する電源を制御する内部電源制御回路である。なお、図１においては図の簡略化のため、内部電源制御回路１０から各回路への電源供給線を省略している。２５はタイマーであり、操作部１５のキー操作に応じてリセットされ、カウントを開始する。タイマー２５のカウントが一定時間を経過すると、内部電源制御回路１０は各回路への電源供給を停止する。
【００３０】
１１は、画像処理された画像情報を一時的に保存するためのハードディスク、１２は、画像処理／シーケンス制御回路７を介して一時的にハードディスク１１に保存してあった画像情報を、操作部１５からの司令や通信回線の状態に応じて通信するための通信制御回路、１３は、無線で通信を行うためのアンテナ、１４は、光学ユニット３に含まれるラインセンサー３３から出力される画像信号、１５は、ユーザがイメージスキャナ本体の操作を行うための操作部、１６は、イメージスキャナ本体の動作状態の表示や警告表示等をするための表示部、１７は、イメージスキャナ本体で読み取られた画像情報を受信して処理するコンピュータ等の外部機器である。
【００３１】
本発明の通信制御回路１２は、読み取った画像を送信するまでの管理も行う。画像読取がユーザーにより指示されてスケジュールされると、通信制御回路１２は、ハードディスク１１に必要な空き領域があるかどうか調べ、空き領域が画像を格納するために必要な分より多く存在する場合は、画像格納用の領域を１つのファイルとしてインデックス情報を付加して確保する。
【００３２】
インデックス情報としては、ファイル作成時刻、ファイル作成者、操作者が操作部から指定した格納画像のファイル名、画像読み取り開始時刻、画像を読み取った時のイメージスキャナのあった場所を表わすエリアコード等である。
【００３３】
また、このイメージスキャナが、携帯電話の機能も有するものであるときは、画像情報送信時に、このイメージスキャナ固有の番号と、発信場所のエリアコード、時刻情報などの情報を画像情報に付加して配信することにより、受信側で画像情報を特定する。そして、このような画像に付加されて送られてくる情報を基にして、画像のファイル名を決定して記憶装置に格納する。
【００３４】
受信側で、配信された画像情報を再生するときは、上記付加情報をキーワードにして検索を行うことにより、簡単に画像情報を記憶装置から読み出すことができる。
【００３５】
ハードディスク１１には、送信先の電話番号やアドレスを記憶することができ、画像情報を送信するときは、通信制御回路１２は操作部１５のキー操作に従って、送信先の電話番号や、アドレス情報をハードディスク１１から読み出して表示部１６に順番に表示させ、更に操作部１５のキー操作によって選択された送信先を決定し、送信を行う。なお、送信先のリストを操作部１５から入力することが可能で、入力されたリストをハードディスク１１に記憶しておくことができる。
【００３６】
また、操作部１５から、読み取った画像情報の送信先を直接入力したり、指定し直したり、複数の送信先を指定したりすることもできる。さらには、画像に関連付けてコメントを付加する事ができ、送信時に画像を選んで送信を指示するための送信キーを押すことによって、送信先に画像データと、コメント、インデックス情報などの画像に関連付けられた情報を自動的に送信することも可能である。また、イメージスキャナが携帯電話としての機能を兼ね備えている場合、即ち、図１の点線枠５０内のマイクロフォン５１およびスピーカ５２を含む場合には、通信制御回路１２は、音声も画像に関連付けて記憶させることもできる。さらに、通信制御回路１２は電子メールを送受信する機能も有し、画像情報を指定形式のフォーマットのファイルとして扱い、電子メールに添付して送信することもできる。
【００３７】
なお、携帯電話としての機能のみを使用することも可能であり、その場合、内部電源制御回路１０は、電話機能に関係の無い回路への電力供給は行わず、消費電力が最小限になるように電力管理を行う。
【００３８】
画像情報は、後述のモード切り換えキーを操作することによってその格納形態を指定することができるため、例えば、ＴＩＦＦ形式などのファイル形式を選択できるようになっている。また、送信時にも画像情報の形式の変換が可能で、通信制御回路１２によって、画像情報を変換しながら送信することができる。
【００３９】
図２は第１の実施形態のイメージスキャナの外観を表す図で、図１と同様の構成については同じ参照番号を付し、図１と異なる構成のみ説明する。図２において、１８は原稿を押さえるための圧板、１９はバッテリー取り出し口、２０は電源スイッチ、２１は読み取り開始キー、２２は送信開始キー、２３は画像の階調性、解像度、格納および送信時のファイル形式、送信するファイルなどを切り換えるためのモード切り替えキー、２４はストップキー、２６はテンキーで、電話番号やエリアコードなどの情報を入力するために使用する。
【００４０】
図３は、図１および図２に示すイメージスキャナの動作を示すフローチャートで、以下にそのシーケンスを詳しく説明する。
【００４１】
まず、ユーザーが電源スイッチ２０をオンすることによりイメージスキャナが起動すると、ステップＳ１で内部電源監視回路９により、バッテリーの残量が十分であるかどうかを確認する。十分である場合には、操作部１５のキーのどれかが操作された場合に該操作を検知できるだけの電力が、内部電源制御回路１０を介して画像処理／シーケンス制御回路７に供給される。ここでは例えば、操作部１５のキー入力を検知するための不図示のＣＰＵおよびその周辺回路のみに電力を供給する。そしてステップＳ２に進む。また、バッテリーの残量が十分ではないと判断された場合には、表示部にその旨を表示するなどしてユーザーにバッテリーの残量不足を通知し、ステップＳ１５に進む。
【００４２】
ステップＳ２では、操作部１５のキー操作が検知されないときは、ステップＳ１５に進み、電源スイッチ２０がＯＦＦされると、内部電源制御回路８は全ての電力供給を停止し、シーケンスは終了する。また、ステップＳ１５で電源スイッチがＯＦＦされなければステップＳ２に戻る。このステップＳ２およびＳ１５を繰り返すことにより、操作部１５のキー入力を待つ。操作部１５のキー操作が検知されると、電源供給司令が発行され、ステップＳ３に進む。
【００４３】
ステップＳ３では、内部電源制御回路８は、画像処理／シーケンス制御回路７、光学ユニット３、ハードディスク１１、通信制御回路１２、表示部１６に電源供給を開始し、ステップＳ４に進む。ステップＳ４では、モーター制御回路６、画像処理／シーケンス制御回路７、ハードディスク１１、通信制御回路１２、表示部１６の各部の初期化を行う。
【００４４】
次にステップＳ５において、スタンバイ状態に入ったことを示すフラグＳＣＥＮＢを’１’にすると共に、電源シャットダウン用の割り込みタイマーＰＷＤＴＭを起動して、ステップＳ６に進む。
【００４５】
ステップＳ６において、モード切り替えキー２３が押されたか否か判断する。モード切り換えキー２３が押されていればステップＳ７に進み、押されていなければステップＳ８に進む。
【００４６】
ステップＳ７では、モード変更処理を行う。このモード変更処理を図４のフローチャートを参照して説明する。まず、ステップＳ７１で割り込みタイマーＰＷＤＴＭを一時停止し、ステップＳ７２でモードを切り換える。そして、切り換え後のモードを表示部１６に表示してステップＳ７３へ進む。前述の通り、モード切り換えキー２３は画像の階調性、解像度、格納および送信時のファイル形式、送信するファイルなどを切り換えるためのキーで、第１の実施形態においては、それぞれの条件についての組み合わせが予め設定されており、モード切り換えキーが１回押される度に、その組み合わせが順に表示部へ表示される。例えば、「高画質モード」として、階調が２４ビット、解像度が３００ｄｐｉ、ファイル形式がＴＩＦ形式、「標準モード」として、階調が２４ビット、解像度が１５０ｄｐｉ、ファイル形式がＪＰＥＧ形式、「白黒モード」として、階調が１ビット、解像度が３００ｄｐｉ、ファイル形式がビットマップ形式として予め設定されている場合、現在「高画質モード」である状態でモード切り換えキー２３が押下されると、「標準モード」が表示部へ表示される。ステップＳ７３では割り込みタイマーＰＷＤＴＭを初期化して、図３のステップＳ１２に進む。
【００４７】
ステップＳ１２では、割り込みタイマーＰＷＤＴＭの一時停止を解除し、カウントを再開する。そして、表示部１６にスタンバイ状態であることを表示してから、ステップＳ１３に進む。
【００４８】
ステップＳ６でモード切り換えキー２３が押されていないと判断された場合、ステップＳ８で、読み取り開始キー２１が押されたか否か判断する。押されていれば、ステップＳ９に進み、押されていなければステップＳ１０に進む。
【００４９】
ステップＳ９では、読み取り処理を行う。この読み取り処理を図５のフローチャートを参照して説明する。まず、ステップＳ９１で、割り込みタイマーＰＷＤＴＭを一時停止し、画像読み取りを開始する。ここで画像読み取り中であることを示すフラグＳＣＡＮを’１’にし、表示部１６に画像読み取り中であることを表示する。そして次のステップＳ９２へ進む。
【００５０】
ステップＳ９２では、ストップキー２４を監視し、ストップキー２４が押されたか否かを判断し、同時に画像読み取りが終了したか否かも判断する。ストップキー２４が押されるか、または画像読取が終了するまでステップＳ９２を繰り返し、ストップキー２４が押されるか、または画像読取が終了すると、ステップＳ９３へ進む。ステップＳ９３では、割り込みタイマーＰＷＤＴＭを初期値に戻し、画像読み取り中を示すフラグＳＣＡＮを’０’にクリアして、図３のステップＳ１２へ進む。ステップＳ１２では前述と同様に、割り込みタイマーＰＷＤＴＭの一時停止を解除し、表示部１６にスタンバイ状態であることを表示してから、ステップＳ１３に進む。
【００５１】
一方、読み取り開始キー２１も押されていないと判断された場合、ステップＳ１０で、送信開始キー２２が押されたか否か判定する。押されていれば、ステップＳ１１に進み、押されていなければステップＳ１３に進む。
【００５２】
ステップＳ１１では、送信処理を行う。この送信処理を図６のフローチャートを参照して説明する。まず、ステップＳ１１１で、割り込みタイマーＰＷＤＴＭを一時停止し、ステップＳ１１２へ進む。
【００５３】
ステップＳ１１２では、送信する画像情報と、送信先を選択する。ここでは、最近読み込まれた画像から順にハードディスク１１から画像情報を読み出し、表示部１６に表示する。例えば、モード切り換えキー２３が押される度に、現在表示されている画像よりも１つ古い画像をハードディスク１１から読み出して表示する。また、優先順位のもっとも高い画像送信先から順にハードディスク１１から読み出し、表示部１６に表示するようにしてもよい。なお、選択の方法は上記に限るものではなく、送信先については操作部１５から直接入力を行うなど、送信する画像情報と送信先を指定すればよい。
【００５４】
ステップＳ１１２で送信する画像情報と送信先が指定された後、送信開始キー２２を再度押下するように表示部１６にメッセージを表示するなどしてユーザーを促し、送信開始キー２２が押されると、通信制御回路１２は指定された送信先に対して、指定された画像情報の送信をスケジュールする（ステップＳ１１３）。そして、画像情報送信要求フラグＴＸＲＥＱを’１’にし、続いて、送信先に対して送信要求を出す。送信先が着信許可を返すと（ステップＳ１１４でＹＥＳ）、ステップＳ１１５で画像送信フラグＴＸＢＳＹを’１’に、画像情報送信要求フラグＴＸＲＥＱを’０’にクリアし、画像情報の送信を開始する。
【００５５】
ステップＳ１１６ではストップキー２４を監視してストップキー２４が押されたか否かを判断し、同時に画像読み取りが終了したか否かも判断する。ストップキー２４が押されるか、または画像読取が終了するまでステップＳ１１６を繰り返し、ストップキー２４が押されるか、または画像読取が終了すると、ステップＳ１１７へ進む。ステップＳ１１７では画像送信フラグＴＸＢＳＹを’０’にクリアして、割り込みタイマーＰＷＤＴＭを初期値に戻し、図３のステップＳ１２へ進む。
【００５６】
一方、送信先が一定時間内に着信許可を出さない場合（ステップＳ１１４でＮＯ）は、ステップＳ１１９へ進み、ストップキー２４が押下されたか否かを判断する。押下された場合には、画像情報送信要求を取り下げ、画像情報送信要求フラグＴＸＲＥＱを’０’にクリアし、割り込みタイマーＰＷＤＴＭを初期値に設定し、図３のステップＳ１２へ進む。
【００５７】
ステップＳ１２では、前述と同様に、割り込みタイマーＰＷＤＴＭの一時停止を解除し、表示部１６にスタンバイ状態であることを表示して、ステップＳ１３に進む。
【００５８】
ステップＳ１３では、割り込みタイマーＰＷＤＴＭが規定時間に達しているか否かを判断し、達していないときはステップＳ６に戻り、上記の動作を繰り返す。また、割り込みタイマーＰＷＤＴＭが規定時間を超えていればステップＳ１４に進み、電源制御回路８に対して、シャットダウンタイマー割り込みを発生する。これにより、ステップＳ３で開始した各回路への電源供給を停止し、ステップＳ２に戻って、次の入力を待つ。
【００５９】
また、ステップＳ１５で、ユーザーが電源スイッチ２０をＯＦＦにすると全ての電源供給が停止する。
【００６０】
上述の制御では、操作部１５のキーが押されない場合、割り込みタイマーＰＷＤＴＭはデフォルト値からカウントアップされ、規定時間を超えた時に電源制御回路８に対して、シャットダウンタイマー割り込みが発生し、操作部１５以外への電源供給を停止する。
【００６１】
以上説明したとおり第１の実施形態によれば、インターフェースケーブルや電源ケーブルなどの接続コードを無くす（コードレス化）と共に、イメージスキャナ本体に設けた操作部による簡単な操作で画像を読み取り、通信制御部により画像データに送信先情報およびファイル識別情報を添付して目的のコンピュータまたはファイル装置に送付するように構成することにより、携帯性および操作性を高めることができる。
【００６２】
また、電源シャットダウン用の割り込みタイマーを用いて、一定時間、操作がなされない場合に、操作部のキー操作を検知するために必要な回路のみに電源を供給することにより、携帯用内部電源を有効に利用することができる。
【００６３】
（第２の実施形態）
図７は第２の実施形態のイメージスキャナーの構成を示すブロック図である。同図において、図１と同様の構成については同一符号を付してその詳細説明を省略する。４１はメモリカードで、読み取った画像を一時的に記憶するために使用する。４３は、シートフェッドスキャナ用の光学ユニット（密着型イメージセンサ）で、原稿読取面にガラスが配置されている。４５は給紙ローラーである。また、４９は、携帯用内部電源８のバッテリー残量を監視するための内部電源監視回路で、内部電源８の消耗状態を常に監視する。
【００６４】
内部電源制御回路１０は、内部電源監視回路４９の出力に応じて、画像読み取り要求が出された時に、画像読み取りのためのバッテリー残量が充分に有るかどうか判定し、バッテリー残量が不足する場合は、画像読み取りを開始せずに、表示部１６にバッテリー残量が不足している旨の警告を表示する。
【００６５】
また、操作部１５は、電源スイッチ、読み取り開始キー、送信開始キー、モード切り換えキー、およびストップキーを有する。
【００６６】
図８は、第２の実施形態のイメージスキャナの画像読み取り動作を示すフローチャートで、以下にそのシーケンスを詳しく述べる。ステップＳ２からステップＳ５とステップＳ１５は第１の実施形態のシーケンスと同様である。
【００６７】
まず、ユーザーが電源スイッチをオンすると、操作部１５のキーのどれかが操作された場合に該操作を検知できるだけの電力が、内部電源制御回路１０を介して画像処理／シーケンス制御回路７に供給される。ここでは例えば、操作部１５のキー入力を検知するための不図示のＣＰＵおよびその周辺回路のみに電力を供給する。そしてステップＳ２に進む。
【００６８】
ステップＳ２では、操作部１５のキー操作が検知されないときは、ステップＳ１５に進み、電源スイッチがＯＦＦされると、内部電源制御回路８は全ての電力供給を停止し、シーケンスは終了する。また、ステップＳ１５で電源スイッチがＯＦＦされなければステップＳ２に戻る。このステップＳ２およびＳ１５を繰り返すことにより、操作部１５のキー入力を待つ。操作部１５のキー操作が検知されると、電源供給司令が発行され、ステップＳ３に進む。
【００６９】
ステップＳ３では、内部電源制御回路８は、画像処理／シーケンス制御回路７、光学ユニット３、ハードディスク１１、通信制御回路１２、表示部１６に電源供給を開始し、ステップＳ４に進む。ステップＳ４では、モーター制御回路６、画像処理／シーケンス制御回路７、ハードディスク１１、通信制御回路１２、表示部１６の各部の初期化を行う。
【００７０】
次にステップＳ５において、スタンバイ状態に入ったことを示すフラグＳＣＥＮＢを’１’にすると共に、電源シャットダウン用の割り込みタイマーＰＷＤＴＭを起動して、ステップＳ６’に進む。
【００７１】
そして、ステップＳ６’において、モード切り替えキーが押されたか否か判定する。押されていればステップＳ７’に進み、押されていなければステップＳ１６に進む。
【００７２】
ステップＳ７’では、図４に示す様にモード変更処理を行うが、第２の実施形態は、ステップＳ７２が第１の実施形態とは異なる。第２の実施形態では、次の画像読み取りまたは送信に使用するために、画像の階調性、解像度、格納および送信時のファイル形式、送信するファイルなどを個別に切り換える。例えば、２４ビット、８ビット、１ビットの階調が選択可能である場合、モード切り換えキーがステップＳ６’で押下されると現在の階調（例えば２４ビット）が表示され、更にモード切り換えキーが押下されると、次の階調（例えば８ビット）が表示される。階調が表示されている状態でストップキーが押下されると、押下された時点で表示されている階調（ここでは８ビット）が設定され、次の設定項目である解像度の選択に移る。同様にして、それぞれの項目についての設定が終了するとステップＳ９３へ進み、割り込みタイマーＰＷＤＴＭを初期値に戻し、画像読み取り中を示すフラグＳＣＡＮを’０’にクリアして、ステップＳ６’に戻る。
【００７３】
ステップＳ１６では、画像読み取り中であるか否かを判断する。具体的には、まず、画像読み取り中であることを示すフラグＳＣＡＮが’１’であるか否かを判断し、ＳＣＡＮ＝’１’である場合には更に、画像読み取りが終了していないか、またはストップキーが押されていないか否かを判断する。両方の判断がＹＥＳの場合にはステップＳ６’に戻り、そうでなければＳＣＡＮを’０’に設定し、更に、画像読み取りが通常終了している場合には、送信待ちの画像が存在していることを示すフラグＴＸＷＴを’１’に設定してステップＳ１７に進む。
【００７４】
ステップＳ１７では、送信要求中（ＴＸＲＥＱ＝’１’）または送信中（ＴＸＢＳＹ＝’１’）であるか否かを判断する。具体的には、ＴＸＲＥＱ＝’１’またはＴＸＢＳＹ＝’１’であるか否かを判断し、そうである場合には更に、送信が終了していないか、またはストップキーが押されていないか否かを判断する。両方の判断がＹＥＳの場合にはステップＳ６’に戻り、そうでなければＴＸＲＥＱまたはＴＸＢＳＹを’０’に設定し、特に送信が終了している場合にはＴＸＷＴも’０’に設定してステップＳ１８に進む。
【００７５】
ステップＳ１８で、読み取り開始キーが押されたか否かを判断し、押されていればステップＳ１９に進み、押されていなければステップＳ２５に進む。
【００７６】
ステップＳ１９では、内部電源監視回路４９の出力と、この時の画像読取モードに基づいて、内部電源監視回路１０によりバッテリー残量が充分かどうかを判定し、バッテリー残量が充分にあるときは、ステップＳ２０に進み、足りないときにはステップＳ２７でバッテリーが不足していることを示す警告を表示部１６に表示し、ステップＳ２８へ進む。
【００７７】
ステップＳ２０では、通信制御回路１２は、メモリカード４１の空き容量を調べる。読取画像を格納できる空き容量がある場合は、メモリカード４１上に読取画像に関するインデックス情報を関連付けた必要なメモリ領域を確保し、画像読取を開始する。ここでＳＣＡＮ＝’１’に設定する。その後、ステップＳ２４で割り込みタイマーＰＷＤＴＭを停止し、ステップＳ２８へ進む。
【００７８】
ステップＳ２０でメモリが不足していると判断された場合は、ステップＳ２２で送信待の画像が存在するか否か、即ちＴＸＷＴ＝’１’の画像があるか否かを判断し、ある場合にはステップＳ２５へ進み、その画像の送信を優先する。この時、画像の読取が一時待たされる旨の警告表示を表示部１６に行う。この時は、画像の読取はスケジュールされない。
【００７９】
また、メモリカード４１の空き容量が不充分で、送信待ちになっている画像もないときは、ステップＳ２３で、メモリカードの空き容量だけを使って画像を分割して読み取りながら送信するバンド送信モードに自動的に切り替わる。この時は、メモリカードの空き容量をバンドメモリとして使い、部分的に画像を読み取って上記バンドメモリ部に書き込み、その後、バンドメモリ部に読み取った一部画像のみ送信し、一部画像の送信が終了した後、次の部分の画像を読取りメモリカード４１のバンドメモリ部に上書きし、その部分の画像読取が終了したあとバンドメモリ部に読み取った一部画像を送信する、という様に、メモリカード４１の空き容量をバンドメモリとして有効に利用しながら画像の読取と、画像の送信を交互に行い、全画像を読み取る。
【００８０】
バンド送信モードにおいては、送信先との通信状態において、通信回線の状態が良好な場合は問題無いが、通信回線が混んでいて、相手先への着信が困難な場合は、通信を打ち切るとともに、画像読取のスケジュールを解除して、バンドメモリを開放し、その旨の警告を表示部１６に行う。さらに、相手先への送信ができても、通信回線の状態が悪く、画像伝送の速度が低い場合は、このモードで通信を行った場合画像読取に極端に時間を要するので、このような場合も表示部１６に画像の読取を中止するように警告を表示する。
【００８１】
バンド送信モードに設定した後、ステップＳ２４で割り込みタイマーＰＷＤＴＭを停止し、ステップＳ２８で割り込みタイマーＰＷＤＴＭを初期値１に設定してから、ステップＳ６’に戻る。
【００８２】
ステップＳ２５では、送信開始キーが押下されたかまたは送信待ちの画像（ＴＸＷＴ＝’１’）が存在するか否かを判断する。ＹＥＳの場合ステップＳ２６へ進み、内部電源開始回路４９の出力とこの時の送信モードとに基づいて、内部電源監視回路１０でバッテリー残量が充分かどうか判定し、バッテリー残量が足りないときにはステップＳ２７でバッテリーが不足していることを示す警告を表示部１６に表示し、ステップＳ２８で割り込みタイマーＰＷＤＴＭを初期値１に設定してから、ステップＳ６’に戻る。なお、ここでは割り込みタイマーＰＷＤＴＭを初期値１にするようにしたが、初期値２に設定するように構成することも可能である。
【００８３】
ステップＳ２６でバッテリー残量が送信処理に対して充分であると判定されると、ステップＳ２９に進み、画像情報送信要求フラグＴＸＲＥＱがセットされ、ＴＸＲＥＱ＝１となる。そしてステップＳ３０で割り込みタイマーＰＷＤＴＭを停止し、ステップＳ３４へ進む。ステップＳ３４では割り込みタイマーＰＷＤＴＭを初期値２に設定してから、ステップＳ６’に戻る。
【００８４】
ステップＳ３１では、割り込みタイマーＰＷＤＴＭが停止されていればカウントを再開して、ステップＳ３２に進む。
【００８５】
ステップＳ３２においては、ステップＳ１６，Ｓ１７，Ｓ１８，Ｓ２５で全てＮＯなので、画像情報送信フラグ（ＴＸＢＳＹ）、画像情報送信要求フラグ（ＴＸＲＥＱ）、画像読み取り中のフラグ（ＳＣＡＮ）のいずれも’０’にセットされている。従って、割り込みタイマーＰＷＤＴＭが既定値に達していたらステップＳ３３に進み、ステップＳ３で開始した各回路への電源供給を停止し、ステップＳ２に戻って、次の入力を待つ。一方、割り込みタイマーＰＷＤＴＭが既定値に達していなければ、ステップＳ６’に戻る。
【００８６】
上記制御シーケンスでは、操作部１５のキーが押されない場合、割り込みタイマーＰＷＤＴＭはデフォルト値からカウントアップされ、規定時間を超えた時に電源制御回路８に対して、シャットダウンタイマー割り込みが発生する。
【００８７】
メモリカード４１は、リムーバブルで、メモリカードを介して他の機器に画像データを供給することも可能である。また、メモリカードがいっぱいになってしまった場合、メモリカードを交換することにより、画像読取を続行することができる。
【００８８】
本発明の実施の形態では、ソフトウェアによるポーリングでシーケンスを示したが、ハードウエアによる割り込み処理を行ってもよい。
【００８９】
また、本発明の実施の形態においては、表示部１６に警告を表示したが、音で警告するように構成しても良い。
【００９０】
また、バッテリー残量が不足している場合に、読み取り解像度を低下させたり、読み取り領域を狭めるように構成しても良い。その場合、読み取り条件を変更した旨の表示を行う。
【００９１】
また、バッテリー残量が不足している場合には、表示を消すように構成しても良い。
【００９２】
【発明の効果】
以上説明したように、本発明によれば、インターフェースケーブルや電源ケーブルなどの接続コードを無くす（コードレス化）と共に、より簡単な操作で画像情報を読み取り、画像情報に送信先情報およびファイル識別情報を添付して目的のコンピュータまたはファイル装置に画像情報を送付するように構成することにより、操作性および携帯性を高くすることができる。
【００９３】
また、内部電源による電力供給先を管理して電力を有効利用し、更に、内部電源装置のバッテリー残量を検知して、バッテリー残量の表示またはバッテリー切れの警告を行う様にすることにより画像読み取り中のバッテリー切れや通信途中でのバッテリー切れを回避することができる。
【図面の簡単な説明】
【図１】本発明の第１の実施形態におけるイメージスキャナの構成を示すブロック図である。
【図２】第１の実施形態のイメージスキャナの外観を表す図である。
【図３】第１の実施形態の動作を示すフローチャートである。
【図４】第１の実施形態の動作を示すフローチャートである。
【図５】第１の実施形態の動作を示すフローチャートである。
【図６】第１の実施形態の動作を示すフローチャートである。
【図７】第２の実施形態のイメージスキャナーの構成を示すブロック図である。
【図８】第２の実施形態のイメージスキャナの画像読み取り動作を示すフローチャートである。
【符号の説明】
１  原稿
２  原稿台ガラス
３  光学ユニット（密着型イメージセンサ）
４  モーター
５  プーリー
６  モーター制御回路
７  画像処理／シーケンス制御回路
８  携帯用内部電源
９  内部電源監視回路
１０  内部電源制御回路
１１  ハードディスク
１２  通信制御回路
１３  アンテナ
１４  画像信号
１５  操作部
１６  表示部
１７  外部機器
１８  圧板
１９  バッテリー取り出し口
２０  電源スイッチ
２１  読み取り開始キー
２２  送信開始キー
２３  モード切り替えキー
２４  ストップキー
２５  タイマー
３１  光源
３２  ライトガイド
３３  ラインセンサー
３４  セルホックレンズ
【図１】
0003689572.tif 000002
【図２】
0003689572.tif 000003
【図３】
0003689572.tif 000004
【図４】
0003689572.tif 000005
【図５】
0003689572.tif 000006
【図６】
0003689572.tif 000007
【図７】
0003689572.tif 000008
【図８】
0003689572.tif 000009